(57)【要約】【課題】釣針を流動性なく安定的に収容・保管することが可能であると共に、釣竿ケースに堅く取り付けて釣糸の縺れなしで保管することが可能な釣針保管用ケース構造を得る。【解決手段】主たる構成は、釣針保管用ケースにおいて、釣針を収納保管するための所定の広さの収納空間部を形成する開閉可能な蓋を有するケース本体及び前記収納空間部から所定の高さに突設され、釣針が掛けられるようにした係止突起を含み、前記ケース本体のいずれか一側に形成された環部をさらに含む。【選択図】図３
2006101882.tif 000002
【特許請求の範囲】
【請求項１】
釣針保管用ケースにおいて、
釣針を収納保管するための所定の広さの収納空間部を形成する開閉可能な蓋を有するケース本体；及び
前記収納空間部から所定の高さに突設され、釣針が掛けられるようにした係止突起を含み、
前記ケース本体のいずれか一側に形成された環部をさらに含むことを特徴とする釣針保管用ケース構造。
【請求項２】
前記環部には、伸縮性を有する固定紐がさらに設置され、その固定紐の一端には環状の固定リングが一体に設けられる請求項１記載の釣針保管用ケース構造。
【請求項３】
前記係止突起は、ケース本体と蓋のいずれか一側面に円形状に設けられ、その上端には離脱防止用顎がさらに設けられる請求項１記載の釣針保管用ケース構造。
【請求項４】
前記ケース本体は、魚形状を成すように形成される請求項１記載の釣針保管用ケース構造。
【請求項５】
前記ケース本体の一側には蓋を施錠するための施錠手段をさらに備える請求項１記載の釣針保管用ケース構造。
【請求項６】
前記ケース本体は、夜光または蛍光物質のいずれか一つがさらに塗布される請求項１記載の釣針保管用ケース構造。
【発明の詳細な説明】
【技術分野】
【０００１】
本発明は、釣針保管用ケース構造に係り、特に、釣針収納空間と環部の構造を改良して釣針を安全且つ堅固に保管することを可能とした釣針保管用ケース構造に関する。
【背景技術】
【０００２】
一般に、釣りは餌に誘因された魚を釣針を用いて捕えることであり、海で行う海釣と淡水で行う淡水釣に大別され、使用する釣竿より一層遠く釣針を投げうるように釣糸を巻くリールを備えたリール釣りと、リールを備えることなく釣竿に直接原糸を結び付けて釣りをする竿釣りに区分される。
【０００３】
典型的な竿釣りでは、カーボンまたはガラスロッド素材で製造された釣竿の先端に位置した竿先には釣原糸が結び付けられ、その原糸の端には重り（錘）が付けられる。前記重りの反対側には釣針がハリスを介して連結される。重りの上部と竿先との間で釣原糸を通過させる浮きゴムは釣浮きの道糸部分を釣原糸に固定させるために設置される。
【０００４】
釣針を付けた状態で前記釣浮きの浮力と重りの重さを同一に合わせた状態をゼロ浮き調整というが、このような浮き調整状態で釣針が水中に投与され、魚が餌を付けた釣針を吸入すると、無重力状態を維持している浮きと重り間の均衡が崩れ、浮きのヘッドが水面の上部に上がってくる。これが魚の当たりによる通常の浮き動き動作であるが、そのあっさりした浮き動き動作を特に夜間にケミホタルの光の下で見ていると幻像的であり、これを通常浮きの良さという。浮き動きの頂点で釣り人が釣竿を上方に上げるか或いは手前に引き寄せると、釣針が魚の口に刺され、魚は水の外に引き出される。
【０００５】
このような釣り作業が終わると、前記釣竿は順次折り畳んで布または合成ビニールで製造された釣竿ケースに収納し、竿先の上部に連結された釣原糸は釣竿ケースに一定の間隔を置いて設置された糸掛けボタンの間を往復しながら巻いておく。
【０００６】
釣糸をまき終えると、ハリスに連結された釣針が残る。これに対する処理問題が釣り人の間では何時も問題になる。即ち、釣針を釣竿ケースに深く差し込んでおくと、抜き取る時に非常に難しくなる。特に、かかり（ｂａｒｂ）を有する釣針の場合、かかり部分を越えて針の先端が掛かると、入ることは容易であるが、抜け出ることは非常に難しくなる。逆に、これを恐れて釣針をそっと差し込んでおくと、釣行きのための移動中に釣針が離脱して釣り人の皮膚を刺して怪我をさせたり、他のものに刺されて結局釣針を切り取らなければならないという問題点がある。
【０００７】
また、ルアー（ｌｕｒｅ）釣りの場合は、ルアー釣竿は釣針に３つのバーブを備えているので、保管時に更に注意を払う必要がある。
【０００８】
かかる問題を解決するために、従来は図１に示すような釣針保管用ケースを使用した。これについて、図１を参照して説明すると、次の通りである。
【０００９】
図１は従来の釣針保管用ケース構造を示す斜視図である。
同図に示すように、釣針３０を収納保管することが可能な収納部１２を有するケース本体１０の一側には釣糸３２の挿入溝１４を形成すると同時に、ケース本体１０の開閉時に分離及び突合せされる面に係止突起２２と係止溝２４を形成して着脱開閉作動するように結着部２０が構成されている。
【００１０】
しかし、前記釣針保管ケースの構造は、釣針３０を外部から隔離するように収納部１２に収納するだけの構成になっているため、前記収納部１２に収納された釣針３０を最適に保管し得ないという問題点をもっている。即ち、収納部１２に収納された釣針３０が前記収納部１２内で流動するなどの問題点がある。また、釣針が流動して内壁とぶつかることにより、釣針の先端が鈍くなるという問題点も誘発している。のみならず、ルアー（ｌｕｒｅ）釣り用釣針の場合には３つのバーブを備えているので、前記ケースで保管することが不可能なため、新しい形態のケース提供が必要な状況である。
【発明の開示】
【発明が解決しようとする課題】
【００１１】
本発明の目的は、従来の諸般問題点を解消し、釣針を流動性なく安定的に収容・保管することが可能な釣針保管用ケース構造を提供することにある。
【００１２】
本発明の他の目的は、前記釣針保管用ケースを釣竿ケースに堅く取り付けて釣糸の縺れなしで保管することが可能な釣針保管用ケース構造を提供することにある。
【課題を解決するための手段】
【００１３】
上記の目的を達成するための本発明の第１実施例に係る釣針保管用ケース構造は、釣針を収納保管するための所定の広さの収納空間部を形成する開閉可能な蓋を有するケース本体、及び前記収納空間部から所定の高さに突設され、釣針が掛けられるようにした係止突起を含み、前記ケース本体のいずれか一側に形成された環部をさらに含むことを特徴とする。
【００１４】
前記環部には伸縮性を有する固定紐が設置され、その固定紐の一端には環状の固定リングが一体に設けられることを特徴とする。
【００１５】
前記係止突起はケース本体と蓋のいずれか一側面に円形状に設けられ、その上端には離脱防止用顎が設けられることを特徴とする。
【００１６】
前記ケース本体は魚形状を成すように設けられることを特徴とする。
【００１７】
前記ケース本体の一側には蓋を施錠するための施錠手段を備えることを特徴とする。
【００１８】
前記ケース本体は、夜光或いは蛍光物質のいずれか一つがさらに塗布されることを特徴とする。
【発明の効果】
【００１９】
以上述べた本発明の実施例によれば、釣針を流動なく安定的に堅く収容保管するとともに、釣針の寿命を延長させるという効果がある。
【００２０】
そして、また、前記釣針保管用ケースを釣竿ケースに堅く取り付けて固定することができるため、釣糸の縺れを防止することができるという効果もある。
【発明を実施するための最良の形態】
【００２１】
以下、添付図に基づいて本発明に係る釣針保管用ケース構造の好適な実施例を詳細に説明する。
図２は本発明の第１実施例に係る釣針保管用ケース構造を示す斜視図であり、図３ａ及び図３ｂは本発明の第１実施例に係る釣針保管用ケースに備えられる係止突起を説明するために開蓋した状態を示す斜視図であり、図４は図２のＩ−Ｉ線に沿った断面図であり、図５は本発明の第１実施例に係る釣針保管用ケースに備えられる係止突起の他の例を説明するために蓋を開いた状態を示す斜視図であり、図６ａ及び図６ｂは本発明の第１実施例に係る釣針保管用ケース構造の固定方法を示す斜視図である。
【００２２】
同図に示すように、本発明の第１実施例に係る釣針保管用ケース構造は、ケース本体１００を備えている。このケース本体１００は、釣針３００を収容することが可能なサイズを有し、その形状には特別な制限はないが、好ましくは図示の如く魚形状を成すように形成することが最もよい。
【００２３】
また、前記ケース本体１００には夜光または蛍光物質のいずれか一つを塗布し、或いは夜光と蛍光物質を混合して塗布することが好ましい。これは前記ケース本体１００を夜間または昼間に確認し易くして使用の便利性を図るためである。
【００２４】
前記ケース本体１００の内部には釣針３００を収納、保管するための所定の広さの収納空間部１１０が設けられており、その収納空間部１１０を開閉可能にする蓋１２０を有する。
【００２５】
前記ケース本体１００のいずれか一側には、前記収納空間部１１０に収納保管された釣針３００に結び付いている釣糸３０２が通過し得るようにするための開口１０２が設けられることがよい。このような開口１０２は釣糸３０２が外方に抜けられるように構成されるが、形成しなくてもよい。これは前記釣糸３０２の太さが非常に細くなっているので、前記ケース本体１００と蓋１２０との施錠時に、前記釣糸３０２を圧着して施錠することができるためである。
【００２６】
前記蓋１２０とケース本体１００のいずれか一側には、接合部１４０を備えて前記蓋１２０を開閉可能にする。このような接合部１４０は、図３ａに示すように、前記ケース本体１００と蓋１２０を一体型に製作する場合に便利であり、図３ｂに示すように、前記ケース本体１００と蓋１２０をそれぞれ分離型に製作して組み立てる場合には、前記接合部１４０の代りにヒンジ１４２で結合して蓋１２０を開閉可能にすることができる。
【００２７】
また、前記蓋１２０とケース本体１００の接合部１４０が備えられた反対側には、前記蓋１２０をケース本体１００に施錠させるために、前記ケース本体１００に施錠手段１３０を備えている。この施錠手段１３０は、ケース本体１００と蓋１２０には互いに対応するように一対の開閉片１３２Ａ、１３２Ｂをそれぞれ形成し、その開閉片１３２Ａ、１３２Ｂの対応する面にはそれぞれ施錠突部１３４と施錠溝部１３６を形成することにより、前記施錠突部１３４と施錠溝部１３６との結合によって施錠されるようにする。また、前記一対の開閉片１３２Ａ、１３２Ｂによってケース本体１００と蓋１２０の開放を便利にする。
【００２８】
前記ケース本体１００のいずれか一側には環部１５０が設けられている。この環部１５０には伸縮性を有する固定紐１６０がさらに設置されており、前記固定紐１６０の一端には環状の固定リング１６２が一体に設けられている。前記伸縮性を有する固定紐１６０はゴムなどの材質からなるゴム紐をその一例として挙げることができる。
【００２９】
同図に示すように、本発明の第１実施例に係る釣針保管用ケースは係止突起２００を備えている。この係止突起２００は、前記収納空間部１１０に収容された釣針３００の屈曲部が前記収納空間部１１０内で流動しないようにするもので、前記ケース本体１００の収納空間部１１０から所定の高さに突設されており、釣針３００が掛けられるようにする。
【００３０】
このような係止突起２００は、図３ａ、図３ｂ及び図４に示すように、前記ケース本体１００または蓋１２０の一側内面に円形状に形成し、その上端には離脱防止用顎２１０を設ける。前記離脱防止用顎２１０は、係止突起２００に釣針３００を掛けて固定した状態で釣針３００が流動したり離脱したりしないようにする。
【００３１】
このような離脱防止用顎２１０は、前記係止突起２００と一体に構成するか、或いは図４に示すようにケース本体１００の一側面に設けられる係止突起２００の中央部に結合溝２０２を形成し、その結合溝２０２に前記離脱防止用顎２１０を一体化するように結合して構成することができる。この際、前記離脱防止用顎２１０は前記係止突起２００に設けられる結合溝２０２に嵌め合わせて分離を防止し、或いは接着剤などを用いて一体化することができる。
【００３２】
また、前記係止突起２００は、図５に示すように、前記ケース本体１００と蓋１２０のいずれか一側内面に円形状に形成し、その他側内面には前記係止突起２００に挿入される溝２２２を有する離脱防止用押え部２２０を突設することができる。この離脱防止用押え部２２０によって、前記係止突起２００に掛けて固定した釣針３００を一定の力で押さえることにより、釣針３００が流動或いは離脱しないようにすることができる。
【００３３】
このような構成を有する第１実施例の釣針保管用ケースによれば、釣針を保管するためにはまず蓋１２０を開いて収納空間部１１０を開放させる。このような状態で、前記収納空間部１１０の係止突起２００に釣針３００の屈曲部を掛けて固定する。この際、前記係止突起２００に掛けて固定することが可能な釣針は一つ或いはそれ以上である。
【００３４】
このように係止突起２００に掛けて固定した釣針３００は、前記係止突起２００の上端に設けられた離脱防止用顎２１０及び離脱防止用押え部２２０によって流動或いは離脱が防止される。
【００３５】
また、前記係止突起２００に釣針３００を掛けて固定した後には、その釣針３００に結び付いている釣糸３０２を前記ケース本体１００の開口１０２を介して外部へ抜けるようにして、釣糸３０２を整理する。
【００３６】
このような状態で蓋１２０をケース本体１００に施錠すると、前記釣針３００は前記収納空間部１１０の係止突起２００に固定された状態で収納保管されるので、釣針３００は収納空間部１１０で流動しないため、先端が損傷するか或いは鈍くなることを防止することができる。
【００３７】
このように釣針３００を収納空間部１１０に収納保管した後には、ケース本体１００の開口１０２を介して抜け出た釣糸３０２を釣竿ケース３１０の釣糸巻き部３１２に巻いた後、前記ケース本体１００のいずれか一側に設置された伸縮性を有する固定紐１６０を釣竿ケース３１０の前記釣糸巻き部３１２の一側に掛けて固定する。この際、前記固定紐１６０は、伸縮性を有しているため、伸びた状態で前記釣糸巻き部３１２に掛けられることにより、ケース本体１００の流動を防止し且つ堅く取り付けられる。これを図６ａと図６ｂに示した。
【００３８】
図６ａは前記釣糸巻き部３１２が釣竿ケース３１０の内側に構成されたことを一例として示し、図６ｂは前記釣糸巻き部３１２が釣竿ケース３１０の外側に構成されたことを一例として示すもので、本発明では両方とも適用可能である。
【００３９】
図７は本発明の第２実施例に係る釣針保管用ケース構造を示す斜視図であり、図８は本発明の第２実施例に係る釣針保管用ケースの蓋を開いた状態を示す斜視図であり、図９は本発明の第２実施例に係る釣針保管用ケースの固定方法を示す斜視図である。
【００４０】
同図に示すように、本発明の第２実施例に係る釣針保管用ケース構造は、ケース本体１０１を備えている。このケース本体１０１は、釣針３０１を収容することが可能な大きさを有するが、３つのかかりが一体に備えられた釣針３０１を収容しうるように構成する。
【００４１】
前記ケース本体１０１の内部には、釣針３０１を収納保管するための所定の深さの傾斜側壁１０５ａ、１０５ｂを両側に有する収納空間部１１１が設けられており、その収納空間部１１１を開閉可能にする蓋１２１を有し、また３つのかかりが一体に備えられた釣針３０１を収容し得るようにすることが重要である。従って、前記収納空間部１１１の底部には前記ケース本体１０１の全長方向に亘って下方に深く凹んだ収容溝１０７をさらに設けることが良い。
【００４２】
本発明の第２実施例においても、第１実施例と同様にケース本体１０１のいずれか一側に開口１０３を設け、前記蓋１２１とケース本体１０１を開閉可能にヒンジ１４３で結合し、そのヒンジ１４３の反対側に前記蓋１２１をケース本体１０１に施錠できるようにするための施錠手段１３１を備えている。
【００４３】
前記施錠手段１３１は、ケース本体１０１と蓋１２１に互いに対応するように一対の開閉片１３３Ａ、１３３Ｂをそれぞれ形成し、その開閉片１３３Ａ、１３３Ｂの対応する面にそれぞれ施錠突部１３５と施錠溝部１３７を形成し、前記施錠突部１３５と施錠溝部１３７との結合によって施錠されるようにする。このような一対の開閉片１３３Ａ、１３３Ｂによってケース本体１０１と蓋１２１の開放を便利にする。
【００４４】
また、前記開閉片１３３Ａ、１３３Ｂの両側には係止溝１３９を形成して後述の固定紐１６１が掛けられるようにする。すなわち、図９に示すように、固定紐１６１で釣竿を一巻き巻いた後、前記係止溝１３９に掛けられるようにすることにより、前記ケース本体１０１を釣竿に取り付けられるようにし、流動を防止することができる。
【００４５】
前記ケース本体１０１のいずれか一側には環部１５１が設けられている。この環部１５１には伸縮性を有する固定紐１６１がさらに設置されており、前記固定紐１６１の一端には環状の固定リング１６３が一体に設けられている。前記伸縮性を有する固定紐１６１はゴムなどの材質からなるゴム紐をその一例として挙げることができる。
【００４６】
前記固定紐１６１によってケース本体１０１を図９に示すように釣竿に固定し、或いは前記第１実施例の如く釣竿ケースに固定して使用する。
【００４７】
また、第２実施例でも前記ケース本体１０１に夜光または蛍光物質を塗布し、或いはこれらを混合して塗布することが良い。
【００４８】
図示したように、本発明の第２実施例に係る釣竿保管用ケースは、一対の係止突起２０１を備えている。この一対の係止突起２０１は前記収納空間部１１１に収容された釣針３０１のかかり（ｂａｒｂ）が掛けられるようにするもので、前記ケース本体１０１の両傾斜側壁１０５ａ、１０５ｂに所定の高さに突設され、３つのかかりを有する釣針３０１が掛けられるようにする。
【００４９】
このような構成を有する第２実施例の釣針保管用ケース構造によれば、釣針を保管するためにはまず蓋１２１を開いて収納空間部１１１を開放させる。このような状態で前記収納空間部１１１に、３つのかかりを有する釣針３０１を収納保管する。この際、前記収納空間部１１１に備えられた収容溝１０７に、３つのかかりを有する釣針のうち一つのかかりを挿入し、他の２つのかかりは収納空間部１１１の一対の係止突起２０１に掛けて収納する。このように釣針３０１を収納した後、前記蓋１２１をケース本体１０１に施錠することにより、前記釣針３０１をケース本体１０１の収納空間部１１１に収納保管する。
【００５０】
このように釣針３０１を収納保管した後には、前記ケース本体１０１のいずれか一側に設置された伸縮性を有する固定紐１６１を図９に示すように釣竿の外周面に巻いた後、その固定紐１６１の端部に設けられた固定リング１６３を、ケース本体１０１の一対の開閉片に設けられている係止溝１３９に掛けて固定する。この際、前記固定紐１６１は、伸縮性を有しているため、伸びた状態で前記釣竿の外周面を巻くことにより、ケース本体１０１の流動を防止し且つ釣竿に堅く取り付けられる。
【００５１】
また、このような第２実施例は、前記固定紐１６１を第１実施例と同様に釣竿ケースの釣糸巻き部に固定することができ、釣竿ケースの釣糸巻き部が釣竿ケースの内側に構成されたもの、或いは前記釣糸巻き部が釣竿ケースの外側に備えられたものに全て適用可能である。
【図面の簡単な説明】
【００５２】
【図１】従来の釣針保管用ケース構造を示す斜視図である。
【図２】本発明の第１実施例に係る釣針保管用ケース構造を示す斜視図である。
【図３】図３ａ及び図３ｂは、本発明の第１実施例に係る釣針保管用ケースに備えられる係止突起を説明するために蓋を開いた状態を示す斜視図である。
【図４】図２のＩ−Ｉ線に沿った断面図である。
【図５】本発明の第１実施例に係る釣針保管用ケースに備えられる係止突起の他の例を説明するために蓋を開いた状態を示す斜視図である。
【図６】図６ａ及び図６ｂは、本発明の第１実施例に係る釣針保管用ケース構造の固定方法を示す斜視図である。
【図７】本発明の第２実施例に係る釣針保管用ケース構造を示す斜視図である。
【図８】本発明の第２実施例に係る釣針保管用ケースの蓋を開いた状態を示す斜視図である。
【図９】本発明の第２実施例に係る釣針保管用ケースの固定方法の一例を示す斜視図である。
【符号の説明】
【００５３】
１００  ケース本体
１１０  収納空間部
１２０  蓋
１３０  施錠手段
１４０  接合部
１５０  環部
１６０  固定紐
１６２  固定リング
２００  係止突起
２１０  離脱防止用顎
２２０  離脱防止用押え部
３００  釣針
【図１】
2006101882.tif 000003
【図２】
2006101882.tif 000004
【図３】
2006101882.tif 000005
【図４】
2006101882.tif 000006
【図５】
2006101882.tif 000007
【図６】
2006101882.tif 000008
【図７】
2006101882.tif 000009
【図８】
2006101882.tif 000010
【図９】
2006101882.tif 000011